(57)【特許請求の範囲】
【請求項１】
キーボード配列のホログラフィック情報が表面に記録され、仮想キーボードを生成するホログラフィックフィルムと、
前記ホログラフィックフィルムに隣接し、タッチされた位置に対応するタッチ信号を生成するように構成されたタッチパネルと、
前記ホログラフィックフィルムを前記タッチパネルに取り付けるためのスナップ嵌合構造と、
を備え、
前記スナップ嵌合構造は、滑動スナップと、弾性要素と、を含み、
前記滑動スナップがスライドされると、前記ホログラフィックフィルムが取り替え可能な状態となる、
キーボード。
【請求項２】
請求項１に記載のキーボードであって、前記ホログラフィックフィルムの一側に配置され、前記ホログラフィックフィルムが前記仮想キーボードを生成するように光ビームを投射するように構成された光源を更に備える、キーボード。
【請求項３】
請求項２に記載のキーボードであって、前記タッチパネルは前記ホログラフィックフィルムの前記光源に対向する表面に取り付けられ、前記光源から放射された前記光ビームは、前記タッチパネルを透過して前記ホログラフィックフィルムに投射され、前記仮想キーボードは、前記ホログラフィックフィルムの前記光源から遠い一側に形成される、キーボード。
【請求項４】
請求項２に記載のキーボードであって、前記ホログラフィックフィルムは、前記タッチパネルの前記光源に対向する表面に取り付けられ、前記光源から放射された前記光ビームは、前記ホログラフィックフィルムに投射され、前記仮想キーボードは、前記タッチパネルの前記光源から遠い一側に形成される、キーボード。
【請求項５】
請求項２〜４の何れかに記載のキーボードであって、
前記光源は、発光ダイオード又はレーザーダイオードである、
キーボード。
【請求項６】
請求項２〜５の何れかに記載のキーボードであって、
前記光源に配置され、前記光ビームを拡散するエキスパンダーを更に備える、
キーボード。
【請求項７】
請求項２〜６の何れかに記載のキーボードであって、
溝を有するフレームを更に備え、
前記タッチパネルは、前記フレームに搭載され前記溝の開口端に配置され、
前記光源は、前記溝の閉塞端に配置される、
キーボード。
【請求項８】
請求項１〜７の何れかに記載のキーボードであって、
前記タッチパネルは、光透過性材料から成る、
キーボード。
【請求項９】
ホストと、
キーボード配列のホログラフィック情報が表面に記録され、仮想キーボードを生成するホログラフィックフィルムと、前記ホログラフィックフィルムに隣接し、タッチされた位置に対応するタッチ信号を生成するように構成されたタッチパネルと、前記ホログラフィックフィルムを前記タッチパネルに取り付けるためのスナップ嵌合構造と、を有するキーボードと、
前記タッチ信号を前記ホストに送信するように構成された通信装置と、
を備え、
前記スナップ嵌合構造は、滑動スナップと、弾性要素と、を含み、
前記滑動スナップがスライドされると、前記ホログラフィックフィルムが取り替え可能な状態となる、
電子装置。
【請求項１０】
請求項９に記載の電子装置であって、
前記ホログラフィックフィルムの一側に配置され、前記ホログラフィックフィルムが前記仮想キーボードを生成するように光ビームを投射するように構成された光源を更に備える、
電子装置。
【請求項１１】
請求項９又は１０に記載の電子装置であって、
前記通信装置は、通信線である、
電子装置。
【請求項１２】
請求項９〜１１の何れかに記載の電子装置であって、
前記通信装置は、WIFI、RFID、IR、Bluetooth(登録商標)の何れかの無線通信技術を利用する、
電子装置。
【発明の詳細な説明】
【技術分野】
【０００１】
本開示は概してデータ入力装置に関連し、より具体的には、タッチ検知技術とホログラフィック技術を結合するキーボード、そのキーボードを用いた電子装置、及び、入力方法に関する。
【背景技術】
【０００２】
昨今、キーボードは、コンピュータ機器の最も一般的で大切な入力装置である。一般に、キーボードは、例えばQWERT式のような所定の配列で配列された複数のキーを含む。動作させるには、ユーザーは、キーボード上のキーを押すことで入力を実行できる。キーボードとしては、例えばメカニカル型キーボードやメンブレン型キーボード、伝導ゴム型キーボード、及び、静電容量型キーボードなど多数の種類がある。キーボードのキーを動作させる動作原理としては、物理的接触型と非接触型が挙げられる。
【０００３】
よく知られるように、メカニカル型キーボードは、キーボードの発展の初期でよく利用されていた。メカニカル型キーボードのキーの動作原理は、物理的接触型に所属する。各キーは、接点としての組み込まれた金属部品を有する。金属部品は、通常、２つの独立した区域を含んでおり、即ち間隔を空けて対向する弾性部品と金属接点部であり、何れも銅などの金属材料によってできている。ユーザーが打鍵すると、キーの２つの金属部品が接触し合い、オン状態に移行し、信号を出力する。逆に、ユーザーがキーから手を離すと、その２つの金属部品は離れてオフ状態に戻る。メカニカル型キーボードは、簡素な工程で製造できるしメンテナンスも容易なので有利とされるが、触感が劣り、騒音も大きく、すぐに疲れるという欠点も持ち合わせる。低価格帯のメカニカル型キーボードは、ほとんどが、弾性部品として銅製のバネを採用している。しかしながら、銅製のバネは容易に破損し、弾性不良を引き起こす。メンブレン型キーボードと伝導ゴム型キーボードのキーの動作原理は、同様に、物理的接触型に所属する。キーの構造は、前述のメカニカル型キーボードのそれと同様である。各キーは、例えば薄い銅製シートなどの金属材料から成る２つの相対する独立した部分を有する。キーは、これら２つの部分が接触し合うとオンとなる。この条件で、薄い銅製シートは、圧力と疲労に耐える。時間が経つと、薄い銅製シートは破損し、キーボード全体の動作不良に至る。
【０００４】
こうして、静電容量型キーボードは、前述した問題を解決するものとして挙げられている。静電容量型キーボードのキーの動作原理は、非接触型に所属する。各キーは、２つの独立した電極を含む。ユーザーが打鍵すると、２つの電極間の距離が減少し、これにより電極間の静電容量が変化する。静電容量の変化によって、キーボードに電流が瞬間的に流れる。もし、その瞬間的な電流が所定値よりも大きい場合は、静電容量型キーボードは電気信号を出力する。静電容量型キーボードは、電極間の距離の変化に起因する静電容量の変化を利用して動作する。非接触式で動作するので、静電容量型キーボードは、殆ど或いは全くと言っていいほど疲れない。静電容量型キーボードは、低騒音で管理もしやすいが、製造工程は比較的複雑である。
【０００５】
上述した複数のキーボードは、通常、物理キーボードと呼ばれており、間隔を空けて配列された複数の独立したキーによって成り立っている。チリが隙間に落ちて隙間内で容易に堆積するので、このキーボードを掃除することは難しい。時間が経つと、チリは、キーボードの動作不良を招く。更には、異なる国のユーザーに対応するために異なる言語で、物理キーボードのキーにシンボル（アルファベット文字やその他の文字）をつける必要があり、異なる言語間で切り替える際に不自由である。この産業界では、レーザー刻印が、キーにシンボルをつける際の慣例的な方法である。しかしながら、ひとたびアルファベット文字やその他の文字が刻印されたら、変更することは困難である。ミスをしてしまった場合は、キーボード全体を作り直すか、さもなくばスクラップする他なかった。
【０００６】
ここ数年、手書きパッドが、入力装置として新たに人気を博しており、一部のユーザーにとっては、手書きパッドを用いて情報を入力する方が、前述したキーボードよりも便利とされている。しかしながら、特定のスタイラスがないと動作できない。更には、手書きパッドは、大抵の場合、前述したキーボードと共に用いられる。この場合、これら２つの独立した装置は、仕事場の空間をより多く占有する。
【０００７】
電子工学技術の発展に伴って、電子機器のポータビリティや利便性、多機能化を追求する消費者が増加している。物理キーボードや手書きパッドの欠点を克服した新たな入力装置が求められている。従って、キーボードを手書きパッドやコンピュータマウスと統合した入力装置が望まれている。
米国特許第6876354号
【発明の概要】
【０００８】
このような事情から、本開示は、関連技術に伴う前述の問題及び他の問題を取り扱う。本開示の目的は、多機能化や利便性、ポータビリティを備え、タッチ検知技術とホログラフィック技術に基づいたキーボードを提供することにある。
【０００９】
本開示は、一実施形態において、キーボードに関する。前記キーボードは、キーボード配列のホログラフィック情報が表面に記録されたホログラフィックフィルムと、前記ホログラフィックフィルムによって生成される仮想キーボードと、前記仮想キーボードに隣接するタッチパネルと、を含む。前記タッチパネルは、前記タッチパネル上のタッチされた位置に対応するタッチ信号を生成するように構成されている。
【００１０】
本開示は、他の実施形態において、電子装置に関する。前記電子装置は、ホストと、キーボードと、通信装置と、を含む。前記キーボードは、キーボード配列のホログラフィック情報が表面に記録されたホログラフィックフィルムと、前記ホログラフィックフィルムによって生成される仮想キーボードと、前記仮想キーボードに隣接するタッチパネルと、を含む。前記タッチパネルは、前記タッチパネル上のタッチされた位置に対応するタッチ信号を生成するように構成されている。前記通信装置は、前記タッチ信号を前記ホストに送信するように構成されている。
【００１１】
本開示は、他の実施形態において、データ入力方法に関する。その方法は、タッチパネルの一側に配置されたホログラフィックフィルムから仮想キーボードが生成されること、前記タッチパネル上のタッチされた位置に対応する位置情報を検出すること、前記位置情報に基づいて前記仮想キーボードのキーに対応するタッチ信号を生成して出力すること、を含む。
【００１２】
本開示に係るキーボードは、マルチプレックスホログラフィック技術をタッチパネルと結びつけており、従って、手書きタブレットやマウスの代替として機能する。光ビームがホログラフィックフィルムに投射され、仮想キーボードがホログラフィックフィルム上に出現すると共に、タッチパネルに近い。ユーザーがタッチパネルにタッチしたら、タッチパネルは、対応する位置でタッチやジェスチャーを検出する。従って、キーボードは、打鍵入力及び手書き入力の双方を可能とする。
【００１３】
異なる言語におけるキーボード配列のシンボルは、慣例的なレーザー刻印の代わりに、マルチプレックスホログラフィック技術によってホログラフィックフィルム上に記録されており、これによって、刻印時における失敗が回避される。加えて、ホログラフィックフィルムの複製は容易及び短期、精確かつ低コストである。
【図面の簡単な説明】
【００１４】
図中の構成要素は必ずしも寸法通りには描かれておらず、代わりに、本開示の原理を明確に説明すべく誇張が行われている。図中の類似する参照符号は、いくつかの図面を通じて対応する部分を示しており、すべての図面は概略的である。
【００１５】
図１は、本開示の一実施形態に係り、キーボードの概略図である。
【００１６】
図２Aは、本開示の一実施形態に係り、図１のキーボードの断面図である。
【００１７】
図２Aは、本開示の他の実施形態に係り、図１のキーボードの断面図である。
【００１８】
図３Aは、図１のキーボードの着脱構造の第１の態様の拡大図である。
【００１９】
図３Bは、図１のキーボードの着脱構造の第２の態様の拡大図である。
【００２０】
図４は、図１のキーボードを用いた電子装置の第１の態様の概略図である。
【００２１】
図５は、図１のキーボードを用いた電子装置の第２の態様の概略図である。
【００２２】
図６は、本開示に係る入力方法の一実施形態のフローチャートである。
【００２３】
図７は、図１のキーボードのホログラフィックフィルム及びタッチパネルの拡大図である。
【発明を実施するための形態】
【００２４】
開示は例示のために説明されるのであって限定のためではなく、添付図面の図において、類似の符号は類似の要素を示す。「一実施形態」または「１つの実施形態」といった言い回しは、必ずしも同じ実施形態のことを意味しているわけではなく、そのような言い回しは、少なくとも１つを意味している。
【００２５】
図１に示すように、本開示に係るキーボード１０の一実施形態は、マルチプレックスホログラフィック技術に基づいている。仮想キーボード２０は、キーボード１０の上面１１に投射される。ユーザーは、仮想キーボード２０を通じてキーボード１０にタッチできる。キーボード１０は、単一タッチ動作や連続タッチ動作などといったジェスチャー入力を検出し、これらのジェスチャー入力に対応した信号を生成し、その信号を出力する。従って、キーボード１０は、手書き入力と同様に、打鍵入力を実現するものである。
【００２６】
図２Aに示すように、キーボード１０は、更に、キーボード配列のホログラフィック情報を有するホログラフィックフィルム３０と、タッチ信号を検出するタッチパネル４０と、光ビームを投射する複数の光源５０と、を含む。ホログラフィックフィルム３０は、実質的に平らに形成されており、タッチパネル４０の上面に取り付けられている。
【００２７】
ホログラフィックフィルム３０は、ガラスや乳剤、フォトニック結晶、プラスチックなどの光透過性の絶縁材料から成る。ホログラフィックフィルム３０は、転写ホログラフィック技術を用いた撮影によって形成されている。撮影工程の間、レーザー源から放射された光ビームは、分光器によってシグナルビームと参照ビームに分光される。シグナルビームと参照ビームは、転写ホログラフィック技術によってホログラフィックフィルムの同じ側に投射される。回折して干渉した後、キー配列とシンボルの振幅及び位相情報を実現するキーボード配列の光波がホログラフィックフィルム内に記録される。
【００２８】
光源５０が、ホログラフィックフィルム３０の下に配置されている。光源５０は、光ビームをタッチパネル４０を通じてホログラフィックフィルム３０に投射する。ホログラフィックフィルム３０及び光ビームは、協働して仮想キーボード２０を生成する。ホログラフィックフィルム３０に記録されているキー配列とシンボルの振幅及び位相情報を再構築することで、仮想キーボード２０が、ホログラフィックフィルム３０上に鮮やかに出現する。ユーザーは、キー入力やジェスチャー入力のために、仮想キーボード２０のキーボード配列に従ってタッチパネル４０をタッチする。仮想キーボード２０のサイズや形状、相対的な位置は、好ましくは、ホログラフィックフィルム３０のそれと一致させることに留意されたい。
【００２９】
タッチパネル４０は、仮想キーボード２０の近くに配置されており、タッチパネル４０上のタッチされた位置を検出し、対応するタッチ信号を生成する。仮想キーボード２０のサイズや形状、相対的な位置は、好ましくは、タッチパネル４０のそれと一致させる。
【００３０】
図２Bに示すように、別の実施形態では、ホログラフィックフィルム３０は、タッチパネル４０の下側に配置されており、光源５０は、ホログラフィックフィルム３０の下側に配置されている。光源５０からの光ビームはホログラフィックフィルム３０に投射されて仮想キーボード２０がタッチパネル４０上に生成される。図２Bのキーボード１０の動作原理は、図２Aに示す実施形態と同じである。
【００３１】
キーボード１０が独立した装置として機能するには、キーボード１０は、更に、上述した構成要素を支持するフレーム６０を含む。フレーム６０は、ベースプレート６１と、ベースプレート６１の端から略垂直に延びる複数の側壁６２と、を含む。ベースプレート６１及び複数の側壁６２は、団結して、開口端と閉塞端を有する溝６３を形成する。タッチパネル４０は、フレーム６０に搭載され、溝６３の開口端に配置され、光源５０は、溝６３の閉塞端に配置される。
【００３２】
ホログラフィックフィルム３０をタッチパネル４０に取り付けるには、２つの方法がある。一つは、光学透明接着剤（OCA）などの接着剤を利用して、ホログラフィックフィルム３０をタッチパネル４０に直接的に接着するものである。もう一つは、着脱構造などの機械的な構造を利用して、ホログラフィックフィルム３０をタッチパネル４０に組み付けるものである。２つの方法は、必要であれば、キーボード１０において同時に利用してもよいことに留意されたい。
【００３３】
上述の着脱構造としては、ホログラフィックフィルム３０をタッチパネル４０に強く固定するために、スナップ嵌合結合又はボルト結合が挙げられる。図３Aに示すように、スナップ嵌合構造７１は、フレーム６０に搭載され、ホログラフィックフィルム３０とタッチパネル４０の一端を結合する。スナップ嵌合構造（不図示）がもう一つフレーム６０に搭載され、ホログラフィックフィルム３０とタッチパネル４０の他端を結合する。スナップ嵌合構造７１は、左右対称に設計されている。スナップ嵌合構造７１は、滑動スナップ７３と、弾性要素７２と、を含む。キーボード１０をある言語から他のものに変更するには、単に滑動スナップ７３をスライドさせて、現在のホログラフィックフィルム３０を要求される新たなものに取り替えるだけでよいので容易である。図３Bに示すように、ボルト構造７４は、フレーム６０に搭載され、ホログラフィックフィルム３０とタッチパネル４０の一端を結合する。ボルト構造（不図示）がもう一つフレーム６０に搭載され、ホログラフィックフィルム３０とタッチパネル４０の他端を結合する。ボルト構造７４は、左右対称に設計されている。ボルト構造７４は、ボルト７６と、ボルト７６の上端に噛み合うナット７５と、を含む。ボルト７６の下端は固定される。キーボード１０をある言語から他のものに変更するには、単にナット７５を取り外し、現在のホログラフィックフィルム３０を要求される他の新しいものに取り替えるだけよいので容易である。
【００３４】
タッチパネル４０としては、光透過性静電容量型タッチパネルや、抵抗型タッチパネル、赤外線検知型タッチパネル、電磁検知型タッチパネル、アコースティックウェイブ検知型タッチパネルが挙げられる。
【００３５】
光源５０は、タッチパネル４０を通じてホログラフィックフィルム３０に光ビームを投射できる。タッチパネル４０は、光透過性伝導材料の検知層４１（図７に示す）を含む。仮想キーボード２０上のキーボード配列に従った仮想キーは、検知層４１の複数の検知ユニットに対応する。タッチパネル４０の検知層４１は、キーボード１０上のタッチされた接触位置を検出する。
【００３６】
光源５０としては、何れも単色光を放射する発光ダイオード(LED)又はレーザーダイオード(LD)が考えられる。キーボード１０は、光源５０の前に配置され、光ビームを拡散するエキスパンダー（不図示）を更に含んでもよい。エキスパンダーは、光ビームがホログラフィックフィルム３０の全面をカバーできるようにする。光源５０の数や配置は、均一で十分な光ビームを提供することを考えた実際の要求に基づいて決定される。光源５０は、省略することができることを理解されたい。
【００３７】
キーボード１０は、デスクトップコンピュータやラップトップ、携帯電話といった電子装置に用いられる。図４に示すように、第１の実施形態としての電子装置は、ホスト９０と、キーボード１０、信号をホスト９０に送信するための通信装置８０を含む。この実施形態では、電子装置は、デスクトップコンピュータである。通信装置８０は、USB線又はRS-232線などといった通信線である。通信装置８０としては、WIFI(Wireless Fidelity)（登録商標）やRFID(Radio Frequency IDentification)、IR(Infrared)、Bluetooth（登録商標）といったワイヤレス通信技術を利用してもよいことを理解されたい。
【００３８】
図５に示すように、第２の実施形態の電子装置１００は、ホストに組み込まれたキーボード１０を含む。この実施形態では、電子装置１００は、ラップトップである。ラップトップ１００に利用される図５のキーボード１０は、前述した図４の第１応用実施形態と同一の動作原理及び構造をしている。
【００３９】
なお、キーボード１０は、異なる環境に適応するために、テーブルの表面や壁に組み込んでもよい。
【００４０】
図６に、上記のキーボードを用いた入力方法の実施形態を示す。
【００４１】
ステップS101において、仮想キーボードが、タッチパネルの一側に配置されたホログラフィックフィルムから生成される。
【００４２】
ステップS102で、タッチパネル上でタッチされた位置に対応する位置情報が検出される。
【００４３】
ステップS103で、位置情報に基づいて、バーチャルキーボードのキーに対応するタッチ信号が生成され出力される。
【００４４】
キーボード１０を使用する際にまずすべきことは、所望の言語で配列とシンボルをホログラフィックフィルム３０に記録することである。光源５０が点灯したら、ユーザーは、ホログラフィックフィルム３０上に出現した仮想キーボード２０を視認することができる。仮想キーボード２０の配列や文字は、予めホログラフィックフィルム３０に記録されたものと同一である。仮想キーボード２０のサイズ及び形状は、タッチパネル４０のそれと良好に一致している。ホログラフィックフィルム３０は、仮想キーボード２０上の対応するシンボル及び位置で、ユーザーによってタッチされる。タッチパネル４０は、タッチ情報を得るためにタッチされた位置又はジェスチャーを検出し、これによって打鍵入力及び手書き入力を提供する。
【００４５】
本開示の実施形態を添付図面を参照しながら十分に説明したが、当業者にとっては、種々の変更及び改変が明らかとなるだろう。そのような変更や改変は、添付のクレームによって定義されるように、この発明の実施形態の範囲内に含まれることを理解されたい。
（付記1）
キーボード配列のホログラフィック情報が表面に記録されたホログラフィックフィルムと、
前記ホログラフィックフィルムによって生成される仮想キーボードと、
前記仮想キーボードに隣接し、タッチされた位置に対応するタッチ信号を生成するように構成されたタッチパネルと、
を備えた、キーボード。
（付記２）
付記１に記載のキーボードであって、前記ホログラフィックフィルムの一側に配置され、前記ホログラフィックフィルムが前記仮想キーボードを生成するように光ビームを投射するように構成された光源を更に備える、キーボード。
（付記３）
付記１に記載のキーボードであって、前記仮想キーボードのサイズ及び位置は、前記タッチパネルのそれと一致する、キーボード。
（付記４）
付記２に記載のキーボードであって、前記タッチパネルは前記ホログラフィックフィルムの前記光源に対向する表面に取り付けられ、前記光源から放射された前記光ビームは、前記タッチパネルを透過して前記ホログラフィックフィルムに投射され、前記仮想キーボードは、前記ホログラフィックフィルムの前記光源から遠い一側に形成される、キーボード。
（付記５）
付記４に記載のキーボードであって、前記ホログラフィックフィルムは、前記タッチパネルに接着される、キーボード。
（付記６）
付記４に記載のキーボードであって、着脱構造を更に備え、前記着脱構造を介して前記ホログラフィックフィルムは前記タッチパネルに取り付けられる、キーボード。
（付記７）
付記６に記載のキーボードであって、前記着脱構造は、スナップ嵌合結合又はボルト結合である、キーボード。
（付記８）
付記２に記載のキーボードであって、前記ホログラフィックフィルムは、前記タッチパネルの前記光源に対向する表面に取り付けられ、前記光源から放射された前記光ビームは、前記ホログラフィックフィルムに投射され、前記仮想キーボードは、前記タッチパネルの前記光源から遠い一側に形成される、キーボード。
（付記９）
付記１に記載のキーボードであって、前記ホログラフィックフィルムは、略平らに形成されている、キーボード。
（付記１０）
付記１に記載のキーボードであって、前記ホログラフィックフィルムは、光透過性絶縁材料により成る、キーボード。
（付記１１）
付記１０に記載のキーボードであって、前記光透過性絶縁材料は、ガラス、乳剤、フォトニック結晶、プラスチックから成るグループから選択される、キーボード。
（付記１２）
付記１に記載のキーボードであって、前記ホログラフィックフィルムは、転写ホログラフィック技術を用いた撮影によって形成される、キーボード。
（付記１３）
付記２に記載のキーボードであって、前記光源は、発光ダイオード又はレーザーダイオードである、キーボード。
（付記１４）
付記２に記載のキーボードであって、前記光源に配置され、前記光ビームを拡散するエキスパンダーを更に備える、キーボード。
（付記１５）
付記１に記載のキーボードであって、前記タッチパネルは、抵抗型タッチパネル、静電容量型タッチパネル、赤外線検知型タッチパネル、電磁検知型タッチパネル、アコースティックウェイブ検知型タッチパネルから成るグループから選択される、キーボード。
（付記１６）
付記１に記載のキーボードであって、前記タッチパネルは、タッチされた接触位置を検出する検知層を有する、キーボード。
（付記１７）
付記１に記載のキーボードであって、前記タッチパネルは、光透過性材料から成る、キーボード。
（付記１８）
付記２に記載のキーボードであって、溝を有するフレームを更に備え、前記タッチパネルは、前記フレームに搭載され前記溝の開口端に配置され、前記光源は、前記溝の閉塞端に配置される、キーボード。
（付記１９）
ホストと、
キーボード配列のホログラフィック情報が表面に記録されたホログラフィックフィルムと、前記ホログラフィックフィルムによって生成される仮想キーボードと、前記仮想キーボードに隣接し、タッチされた位置に対応するタッチ信号を生成するように構成されたタッチパネルと、を有するキーボードと、
前記タッチ信号を前記ホストに送信するように構成された通信装置と、
を備えた、電子装置。
（付記２０）
付記１９に記載の電子装置であって、
前記ホログラフィックフィルムの一側に配置され、前記ホログラフィックフィルムが前記仮想キーボードを生成するように光ビームを投射するように構成された光源を更に備える、電子装置。
（付記２１）
付記１９に記載の電子装置であって、前記通信装置は、通信線である、電子装置。
（付記２２）
付記１９に記載の電子装置であって、前記通信装置は、WIFI、RFID、IR、Bluetooth（登録商標）から成るグループから選択される無線通信技術を利用する、電子装置。
（付記２３）
付記１９に記載の電子装置であって、前記キーボードは、前記ホストに組み込まれる、電子装置。
（付記２４）
付記２２に記載の電子装置であって、前記電子装置は、ラップトップ又は携帯電話である、電子装置。
（付記２５）
付記１９に記載の電子装置であって、前記キーボードは、テーブルの表面又は壁に組み込まれる、電子装置。
（付記２６）
タッチパネルの一側に配置されたホログラフィックフィルムから仮想キーボードを生成すること、
前記タッチパネルのタッチされた位置に対応する位置情報を検出すること、
前記位置情報に基づいて前記仮想キーボードのキーに対応するタッチ信号を生成して出力すること、
を含む、入力方法。
【図１】
0005628423.tif 000002
【図２Ａ】
0005628423.tif 000003
【図２Ｂ】
0005628423.tif 000004
【図３Ａ】
0005628423.tif 000005
【図３Ｂ】
0005628423.tif 000006
【図４】
0005628423.tif 000007
【図５】
0005628423.tif 000008
【図６】
0005628423.tif 000009
【図７】
0005628423.tif 000010